(57)【要約】      （修正有）【課題】白色ＬＥＤから発光した光を効率よく原稿面に導き、かつ照明光の色ムラのない原稿照明装置及びそれを有する画像読取装置を得ること。【解決手段】照明系３１からの光で原稿台４に載置した原稿５を照明する原稿照明装置において、該照明系は、青色発光ダイオードと該青色発光ダイオードを覆う黄色系蛍光物質含有のコーティング部材から構成された白色発光ダイオードより成る光源手段１と、該白色発光ダイオードから発光した光を反射させて原稿面に導光する平面反射鏡より成る反射部材２、３と、を有していること。【選択図】図１Ａ
2006042016.tif 000002
【特許請求の範囲】
【請求項１】
照明系からの光で原稿台に載置した原稿を照明する原稿照明装置において、
該照明系は、青色発光ダイオードと該青色発光ダイオードを覆う黄色系蛍光物質含有のコーティング部材から構成された白色発光ダイオードより成る光源手段と、該白色発光ダイオードから発光した光を反射させて原稿面に導光する平面反射鏡より成る反射部材と、を有していることを特徴とする原稿照明装置。
【請求項２】
前記反射部材は複数の平面反射鏡を副走査断面内で連続配置して形成されていることを特徴とする請求項１に記載の原稿照明装置。
【請求項３】
前記白色発光ダイオードは、透明な樹脂部材によりパッケージ化されており、該樹脂部材は該白色発光ダイオードに対して、その上部が該白色発光ダイオードの中央部を中心とした球状の形状より成ることを特徴とする請求項１に記載の原稿照明装置。
【請求項４】
前記白色発光ダイオードは、透明な樹脂部材によりパッケージ化されており、該樹脂部材は該白色発光ダイオードに対して、その上部が円錐の上部分を切り取った形状より成ることを特徴とする請求項１に記載の原稿照明装置。
【請求項５】
請求項１乃至４の何れか１項に記載の原稿照明装置で照明された原稿の画像情報を結像手段により読取手段面上に結像させ、該読取手段で該原稿の画像情報を読取るようにしたことを特徴とする画像読取装置。
【発明の詳細な説明】
【技術分野】
【０００１】
本発明は原稿照明装置及びそれを有する画像読取装置に関し、特に照明光源（光源手段）として白色発光ダイオードを用いて原稿を効率よく照明するようにしたものであり、例えばデジタル複写機やイメージリーダー等の機器に好適なものである。
【背景技術】
【０００２】
図１０はデジタル複写機やイメージリーダー等の機器に適用した従来の原稿照明装置及びそれを有する画像読取装置の要部概略図である。
【０００３】
同図において原稿台ガラス７２上に載置された原稿７１はキセノンランプ等の棒状光源である光源手段７３からの直接照明光と対向する位置にある反射部材７４を介した間接照明光により両側から照明される。そして照明された原稿７１の画像情報に基づく反射光はスリット７５で規制されて走査用の第１ミラー７６、第２ミラー７７、第３ミラー７８を介して、結像レンズ７９によりライン状のＣＣＤ等の固体撮像素子８０面上に結像され、原稿７１の濃淡に応じて電気信号に変換され、主走査方向（図１０において紙面に対して垂直方向）の１ライン分の画像情報が読取られる。
【０００４】
また副走査方向（図１０において矢印Ａ方向）の画像読取りは原稿７１に対して光源手段７３、反射部材７４、スリット７５、そして第１ミラー７６とから成る第１のミラー台８１を副走査方向に移動させ、更に第２ミラー７７と第３ミラー７８とから成る第２のミラー台８２を該第１ミラー台８１の半分の速度で同方向に移動させることにより、原稿７１から固体撮像素子８０までの光路長を一定に保ちつつ走査することで原稿７１の画像情報が読取られる。
【０００５】
また上記の原稿照明装置及びそれを有する画像読取装置は、キセノンランプ等の棒状光源である光源手段７３からの直接照明光と対向する位置にある反射部材７４を介した間接照明光により両側から原稿を照明する例であるが、対向する位置にも光源手段を設け反射部材を設けずに両側の光源手段から直接に原稿を照明する原稿照明装置及びそれを有する画像読取装置もある。
【０００６】
上記のような光源手段としては、消費電力が低く、また発熱量が少ないことから蛍光灯やキセノンランプ等の蛍光管（ランプ）が多く用いられてきている。
【０００７】
また上記の光源手段として最近は発光ダイオード等の発光素子（以下、「ＬＥＤ」と称す。）の発光光量が増加してきている背景もあり、更なる消費電力の低下や発熱量を少なくするためＬＥＤを原稿照明用の照明光源として採用する原稿照明装置及びそれを有する画像読取装置も種々提案されている。
【０００８】
ただ現状においてはＬＥＤを照明光源として採用しているのはイメージリーダーの中でも低速の画像読取装置が主体であり、デジタル複写機等の比較的高速なＡ４原稿を２０〜５０枚／分、読取るような画像読取装置にまでは採用されていない。
【０００９】
その原因としては、近年のＬＥＤの発光光量は増加してきているが、デジタル複写機等の比較的高速な画像読取装置の原稿照明装置の照明光源として採用するには、まだ発光光量が少ないことがある。そのため更なるＬＥＤ自身の発光光量の増加が望まれるが、一方ではＬＥＤから発光された発散光を集光手段を用いて、より効率良く原稿面に集光し、その光（光束）の利用効率を上げて照明光量を増加することも必要になる。
【００１０】
図４Ａ、図４Ｂは各々従来の原稿照明装置の要部概略図であり、図４Ａは副走査方向の要部断面図、図４Ｂはそれに直交した方向（主走査方向）から見た図である。
【００１１】
図４Ａに示すように集光部材１３の側面１３ａを反射面よりなる放物面とし、ＬＥＤ１１から発光した発散光を該放物面の全反射により副走査方向においてＬＥＤ１１と集光部材１３を有する照明系の光軸Ｌに対し平行光化し、その平行光化された光を集光部材１３の出射面１３ｂで屈折させることにより原稿１５面上に集光している。
【００１２】
図５Ａにそのときの光線を図示している。このように照明系を構成することにより、ＬＥＤ１１から発光した発散光を効率よく原稿１５面上に集光でき、該原稿１５を明るく照明できる。ここで上記の集光部材１３は、例えばエポキシ樹脂やアクリル等の透明な樹脂部材で形成されており、その樹脂部材の中にＬＥＤが封入されている。
【００１３】
また主走査方向に関しては図４Ｂに示すように構成されており、放物面１３ａ及び出射面１３ｂは共に主走査方向に同一形状で延びているが、主走査方向の端部の側面１３ｃは主走査方向に傾けて形成させている。この側面１３ｃの役割は図５Ｂに示すようにＬＥＤ１１から発光した主走査方向に大きな角度で広がる光をＮ軸の方向（中央方向）に戻すようになっている。そのことを解かり易くするため別の角度から見た図を図５Ｃに示す。
【００１４】
このように構成にすることにより側面１３ｃで反射された光が中央部分に戻るため照明光量が増加する。また主走査方向に大きな角度で広がって出射面１３ｂで全反射されて集光部材１３から外に放射できず原稿を照明できない光を防止することもできる。
【００１５】
上記のような照明系において原稿載置面（原稿台ガラス）１４の光量分布は、例えば副走査方向の光量分布は図６Ａに示すようになり、また主走査方向の光量分布は図６Ｂに示すような光量分布になる。この２つの光量分布のデータの縦軸は、シミュレーションにおけるある値を１としているので相対光量を示している。
【００１６】
このように一個のＬＥＤから副走査方向に数ｍｍの幅を持ち主走査方向に３０ｍｍ程度の幅を持った画像読取装置の原稿照明系に適したライン照明系を実現することができる。
【００１７】
また上記の照明では説明を簡単にするために代表してＬＥＤ１１及び集光部材１３とも一個で示してあるが、上記の照明光源（光源手段）を主走査方向に多数個アレイ状に並べることにより画像読取装置に合わせた照明系としての主走査方向の幅、例えばＡ３原稿とするとその短辺２９７ｍｍ＋αの幅を照明する原稿照明装置とすることができる。また図５Ａの光軸Ｍに対向した位置にも上記の照明系を設け、両側から照明して照明光量を増加することも考えられる。
【００１８】
上記のように照明系を構成することにより、ＬＥＤを採用した照明系で該ＬＥＤから発光した光を効率よく原稿照明装置に適応したライン照明系とすることが可能になる。
【００１９】
また上記の従来例ではＬＥＤの発光する色について限定していないが、原稿を照明する原稿照明光（単に「照明光」とも称す。）を白色光にしてカラー画像読取装置の照明光源にする場合もある。このようなＬＥＤを照明光源に用い、照明光を白色光にする一つの方法としては、例えば単色のＢ（青）、Ｇ（緑）、Ｒ（赤）のＬＥＤから発光した光を組み合わせて白色光としている。
【００２０】
しかしながら確かに単色のＢ（青）、Ｇ（緑）、Ｒ（赤）のＬＥＤを組み合わせて白色光とすることも可能であるが、各色で多数のＬＥＤを使用するため、それぞれのＬＥＤの色味や発光光量のバラツキを制御するのが困難であり、また構成としても複雑になるという問題点がある。また初期に発光光量のバラツキを制御したとしても耐久的に変化するという問題点もあった。
【００２１】
そのため近年開発が進んできている白色ＬＥＤ（白色発光ダイオード）をカラー画像読取装置の照明光源にすることが考えられてきている。白色ＬＥＤを照明光源にしたときには１種類のＬＥＤのみで構成することが可能になり、構成も単純になるという利点がある。
【００２２】
そのような白色ＬＥＤを照明光源として用いた原稿照明装置及びそれを用いた画像読取装置が提案されている（特許文献１参照）。
【特許文献１】特開２０００−３４９９５７号公報
【発明の開示】
【発明が解決しようとする課題】
【００２３】
しかしながら白色ＬＥＤを照明光源として用いる場合、下記に示す白色ＬＥＤ特有の問題点がある。
【００２４】
現在、市販されて流通している主流の白色ＬＥＤは、例えば特許第３２４６３８６号（特許文献２）に開示の図２（本明細書では図１１参照）に開示されているように青色ＬＥＤ202とその青色ＬＥＤ202を覆う黄色系の蛍光物質含有のコーティング部材201から構成されている。青色ＬＥＤ202から発光した光で黄色系の蛍光物質を励起し、その黄色系のスペクトルを特許文献２に開示の図５（本明細書では図１２参照）に示すような青色ＬＥＤのスペクトルと合わせることにより、該特許文献２に開示の図４（本明細書では図１３参照）に示すような白色の発光スペクトルとなっている。
【００２５】
そのような白色ＬＥＤを詳細に解析すると光源部上部の表面が、例えば図７に示すように成っており、青色ＬＥＤの直上部分の中央部Ａと直下に青色ＬＥＤがない周辺部Ｂとでは発光する光の色味が異なることが判明した。青色ＬＥＤの直上部分の中央部Ａは色度座標がｘ：0.282、ｙ：0.278となり、白色でも青色が強く、また周辺部Ｂはｘ：0.359ｙ：0.398となり、白色でも黄色が強いのがわかる。
【００２６】
ここで最周辺部Ｃは輝度が少なく影響が軽微なので説明からは省いて以下に述べる。また、この色味の差は顕微鏡等で拡大してみると肉眼でもはっきりと認識される色味の差である。この原因は白色ＬＥＤが上記特許文献２に開示の図２（本明細書では図１１参照）のように構成されているので青色ＬＥＤ202の直上部分の中央部Ａは直上なので青色ＬＥＤからの光量が強く、一方、黄色系蛍光物質含有のコーティング部材201の層は薄いので黄色系に変換される量が少ないので白色でも青色が強くなると考えられる。
【００２７】
一方、直下に青色ＬＥＤがない周辺部Ｂは青色ＬＥＤ202から斜めに発光した成分のため青色の光量が弱く、一方、黄色系蛍光物質含有のコーティング部材201の層は斜めに青色ＬＥＤ202からの光が通過するので黄色系に変換される層が厚くなり白色でも黄色が強くなると考えられる。このような光源部の発光位置による色が異なる光源からの光を集光しようとすると従来の照明系では原稿照明光の色ムラとなってしまう。
【００２８】
上記の発光位置によって発光する色が異なる問題点を説明するためのモデルを図８に示す。図８はその断面において、前述の図４Ａ、図４Ｂのような照明系において光源中央部から発光した光の内、代表して照明系の光軸Ｌに対して±３０度方向に発光した光の光路と光源中央部から光軸Ｌと垂直方向に離れた周辺位置から光軸Ｌに対して±３０度方向に発光した光の光路を示してある。
【００２９】
このように異なる発光位置から発光した光は原稿面上において図８に示す位置（領域）Ａおよび位置（領域）Ｂの異なる位置を照明することになる。ここで照明光源のＬＥＤが発光面内で均一の発光スペクトルの系においては、それぞれ異なった発光位置から発光された光は原稿１５面で異なった位置を照明するだけである。
【００３０】
しかしながら発光位置によって発光する色が異なると原稿１５面の照明位置の差で、その位置の照明光のスペクトル分布、つまりは照明光の色が異なることになり、照明分布に色ムラを生じることになる。
【００３１】
また図８をみても分かるが原稿１５面の上方でも集光性が異なるので該原稿１５面から若干上側で読取る場合、例えば若干原稿１５が浮いた時や本の原稿のように中央に綴じ代があるとその上下位置の差によっても色のムラが生じることになる。
【００３２】
また図８は解り易く説明するために一断面について示してあるが、この白色ＬＥＤにおける照明光の色ムラは図８の紙面に垂直な主走査方向でも発生する。つまり原稿面上で主走査及び副走査の二次元的に照明光に色ムラが発生してしまう。このように原稿面の照明分布に色のムラがあるとＣＣＤが読取る位置によりカラー画像が異なることになる。
【００３３】
本実施例は白色ＬＥＤから発光した光を効率よく原稿面に導き、かつ照明光の色ムラをない原稿照明装置及びそれを有する画像読取装置の提供を目的とする。
【課題を解決するための手段】
【００３４】
請求項１の発明の原稿照明装置は、
照明系からの光で原稿台に載置した原稿を照明する原稿照明装置において、
該照明系は、青色発光ダイオードと該青色発光ダイオードを覆う黄色系蛍光物質含有のコーティング部材から構成された白色発光ダイオードより成る光源手段と、該白色発光ダイオードから発光した光を反射させて原稿面に導光する平面反射鏡より成る反射部材と、を有していることを特徴としている。
【００３５】
請求項２の発明は請求項１の発明において、
前記反射部材は複数の平面反射鏡を副走査断面内で連続配置して形成されていることを特徴としている。
【００３６】
請求項３の発明は請求項１の発明において、
前記白色発光ダイオードは、透明な樹脂部材によりパッケージ化されており、該樹脂部材は該白色発光ダイオードに対して、その上部が該白色発光ダイオードの中央部を中心とした球状の形状より成ることを特徴としている。
【００３７】
請求項４の発明は請求項１の発明において、
前記白色発光ダイオードは、透明な樹脂部材によりパッケージ化されており、該樹脂部材は該白色発光ダイオードに対して、その上部が円錐の上部分を切り取った形状より成ることを特徴としている。
【００３８】
請求項５の発明の画像読取装置は、
請求項１乃至４の何れか１項に記載の原稿照明装置で照明された原稿の画像情報を結像手段により読取手段面上に結像させ、該読取手段で該原稿の画像情報を読取るようにしたことを特徴としている。
【発明の効果】
【００３９】
本発明によれば白色ＬＥＤから発光した光を平面より成る反射部材により効率よく原稿面に導くことができ、かつ照明光の色ムラのない原稿照明装置及びそれを有する画像読取装置を達成することができる。
【発明を実施するための最良の形態】
【００４０】
以下、図面を用いて本発明の実施例を説明する。
【実施例１】
【００４１】
図１Ａ、図１Ｂは各々本発明の原稿照明装置及びそれを有する画像読取装置の実施例１の要部概略図であり、図１Ａは副走査方向の要部断面図（副走査断面図）、図１Ｂは白色ＬＥＤから発光した照明光（光線）を示した説明図である。
【００４２】
図中、１は光源手段としての照明光源であり、青色発光ダイオード（（以下、「青色ＬＥＤ」と称す。）と該青色発光ダイオードを覆う黄色系蛍光物質含有のコーティング部材から構成された白色発光ダイオード（以下、「白色ＬＥＤ」と称す。）より成っている。
【００４３】
２、３は各々複数の平面反射鏡より成る反射部材であり、白色ＬＥＤ１から発光した光を原稿５面に導くようにしている。本実施例における反射部材２、３は図１Ｂに示す如く各々３枚の平面反射鏡（平面よりなる反射鏡）2ａ、2ｂ、2ｃ・3ａ、3ｂ、3ｃを光源手段１を挟んで配置して構成している。尚、平面反射鏡は３枚に限らず、複数枚であれば良い。
【００４４】
尚、白色ＬＥＤ１と反射部材２、３は各々照明系３１の一要素を構成している。
【００４５】
４は原稿載置台（原稿台ガラス）であり、原稿５を載置している。２１は主走査方向に縦長のスリットであり、原稿５面からの迷光を遮断している。６、７、８は各々順に走査用の第１、第２、第３のミラーであり、原稿５面からの画像情報に基づく光を後述する結像レンズ９に導いている。９は結像手段としての結像レンズであり、原稿５の画像情報を一定の倍率で縮小して後述する３ラインセンサー１０面上に結像させている。１０は読取手段としての３ラインセンサー（３ＣＣＤ）であり、Ｂ（青）、Ｇ（緑）、Ｒ（赤）用のラインセンサー（ＣＣＤ）が副走査方向に間隔を持って配置されている。
【００４６】
本実施例においては白色ＬＥＤ１から発光した光（発散光）を反射部材２、３を介して原稿載置台４に載置された原稿５を照明し、該照明された該原稿５からの画像情報に基づく反射光をスリット２１で規制し、走査用の第１のミラー６、第２のミラー７、第の３ミラー８を介して結像レンズ９により３ラインセンサー１０面上に結像させる。そして原稿５の濃淡に応じて電気信号に変換され、図１Ａにおいて紙面に対して垂直方向（主走査方向）の画像情報が読取られる。
【００４７】
また図１Ａにおいて紙面方向に対して副走査方向の画像読取りは原稿５に対して照明系、スリット２１、そして第１のミラー６とから成る第１のミラー台２２を副走査方向に移動させ、更に第２のミラー７と第３のミラー８とから成る第２のミラー台２３を該第１ミラー台２２の半分の速度で同方向に移動させることにより、原稿５から３ラインセンサー１０までの光路長を一定に保ちつつ走査することで原稿５の画像情報が読取られる。
【００４８】
本実施例における反射部材２、３は上記の如くそれぞれ各３枚の平面反射鏡2ａ、2ｂ、2ｃ・3ａ、3ｂ、3ｃにより構成されている。
【００４９】
前述した如く白色ＬＥＤを原稿照明用の照明光源としたときの発光位置によって発光する色が異なると原稿面の照明位置の差でその位置の照明光のスペクトル分布、つまりは照明光の色が異なることになり、照明分布に色ムラが生じる問題点を解析すると原理的な原因があることが解った。
【００５０】
その原因は照明光源近傍に反射面でも屈折面でも曲面の集光部材を配置すると、その曲面により確かに発光した光は原稿面近傍に集光されるが、発光位置が異なるとその集光位置も異なった位置になる。そのため発光位置によって発光する色味が異なると、その発光位置の原稿面の集光位置での色味が異なり照明光の色ムラが発生してしまう。
【００５１】
もし曲面の集光部材を発光位置の差が無視できるぐらい、例えば点光源と見なせるぐらい光源から離せば上記の問題点を解決できるが、画像読取装置の原稿照明装置が巨大になってしまい現実性がない。
【００５２】
そこで本実施例では白色ＬＥＤ１から発光した光を曲面を用いずに複数の平面反射鏡を含む反射部材２、３により原稿５面に導くことにより、白色ＬＥＤ１を照明光源としたときの発光位置によって発光する色が異なると原稿面の照明位置の差でその位置の照明光のスペクトル分布、つまりは照明光の色が異なることになり照明分布に色ムラが生じるという問題点を解決している。
【００５３】
平面反射鏡においては平面自体には集光作用がないため、ある位置から発光した光は原稿５面を幅広く照明することになり、発光位置によって発光する色が異なっても原稿５面の照明位置の差が無視できるようになる。そのため照明光の色ムラ問題も発生しなくなる。また反射部材２、３の各平面反射鏡2ａ、2ｂ、2ｃ・3ａ、3ｂ、3ｃは図１Ｂに示すように白色ＬＥＤ１から発光した光を原稿５面のＣＣＤ１０が読取る光軸Ｍに反射するように角度、位置が設定されている。
【００５４】
上記の実施例の図１の照明系３１における原稿５面の照明光量分布をシミュレーションすると図２に示すような照明光量分布になり、青色ＬＥＤの直上部分の中央部Ａと直下に青ＬＥＤがない周辺部Ｂから発光した光量分布の形状がシミュレーションの誤差で多少のガタツキはあるが同じ光量分布の形状をしているのが解る。
【００５５】
つまり白色ＬＥＤの異なる発光部から発光した光が原稿面上で同じ分布形状にさせることができることが解る。これは白色ＬＥＤを原稿照明用の照明光源としたときの発光位置によって発光する色が異なると原稿面の照明位置の差でその位置の照明光のスペクトル分布、つまりは照明光の色が異なることがなくなることになる。
【００５６】
また上記では断面についての説明だが、例えば反射部材２、３は主走査方向に同じ形状で延長した反射部材にして白色ＬＥＤ１を決められたピッチで配置して並べることにより画像読取装置に合わせた照明系３１としての主走査方向の幅、例えばＡ３原稿とするとその短辺２９７ｍｍ＋αの幅を照明する原稿照明装置とすることができる。
【００５７】
また白色ＬＥＤ１のピッチを主走査方向の端部で密に配置することにより主走査方向の周辺の照明光量を上げることも可能である。
【００５８】
尚、本実施例では１つの照明系31より構成したが、これに限らず、該照明系31と対向する位置（原稿面５の法線Ｌに対向する位置）に該照明系31と同一の照明系を配置し、両側から原稿面5を照明するようにしても良い。また本実施例では反射部材2,3を２つ用いて照明系31を構成したが、これに限らず、１つでも良い。
【実施例２】
【００５９】
図３Ａ、図３Ｂは各々本発明の実施例２の要部概略図である。図３Ａ、図３Ｂにおいて図１Ａに示した要素と同一要素には同符番を付している。
【００６０】
本実施例において前述の実施例１と異なる点は白色ＬＥＤ１を透明な樹脂部材によりパッケージ化したことである。その他の構成及び光学的作用は実施例１と略同様であり、これにより同様な効果を得ている。
【００６１】
前述の実施例１では白色ＬＥＤ１をそのままの状態で示してあるが、実際には耐久等の問題があるので白色ＬＥＤ１はエポキシ樹脂等の透明な物質（樹脂部材）によりパッケージ化されている。
【００６２】
その樹脂部材（パッケージ）の形状としては、通常では砲弾型と呼ばれるＬＥＤからの光を前方多く導く物やチップタイプと呼ばれる直方体状の物がある。
【００６３】
そのような樹脂部材の形状の白色ＬＥＤと本実施例の光源部に採用してもよいが、更に効率を良くする樹脂部材の形状としては図３Ａに示すように樹脂部材１６を白色ＬＥＤ１に対して、その上部を該白色ＬＥＤ１の中央部と中心とした球状より形成している。
【００６４】
このような樹脂部材１６の形状にすると白色ＬＥＤから発光した光は該樹脂部材１６の外周面にほぼ垂直に入射するので全反射することなく該樹脂部材１６の外部に取り出すことが可能になる。外部に効率良く取り出せれば本実施例では、その後平面の反射部材（不図示）により原稿面に光を導くので色ムラなく効率良く白色ＬＥＤからの光を原稿面に導光することが可能になる。ここで樹脂部材１６の上部の球状部の半径Ｒとしては、例えばＲ＝１．５〜３ｍｍ程度に設定するのが良い。
【００６５】
また他の樹脂部材１７の形状としては図３Ｂの断面を示すように円錐の上部を切り取ったような形状にする。このようにすると白色ＬＥＤから上部に発光した光は図３Ｂのように上部平面で反射部材に向かう方向に向けられるので平面の反射部材（不図示）との組み合わせで原稿面に光を導くので効率良く白色ＬＥＤの光を原稿面に導光することが可能になる。
【００６６】
ここで樹脂部材１７の形状としては図３Ｂに示すパラメータを用い、
Ｉ＝N＊SINα
X/T＝TANα・（X-D/2）/T＝TANβ
Ｉ＝N＊SIN（90−β−γ）
例えばN＝1.5、D＝1.0、X=1.5とすると
T ＝1.68
α＝42.0°
β＝16.6°
γ＝31.4°
となる。これにより全反射を避けて有効に白色ＬＥＤ１から発光した光を外部に取り出すことができる。
【００６７】
尚、各実施例では１：２走査光学系を有する画像読取装置に本発明の原稿照明装置を適用したが、これに限らず、例えば図９に示す一体型（フラットベッド型）の画像読取装置に適用しても本発明は上述の各実施例と同様に適用することができる。
【００６８】
［フラットベッド型画像読取装置］
図９において白色ＬＥＤ１から発光された光は反射部材２，３を介して原稿５を照明し、該原稿５からの反射光を第１、第２、第３、第４反射ミラー４１，４２，４３，４４を介してキャリッジ４７内部でその光路を折り曲げ、画像読取用レンズ４５により３ラインセンサー４６面上に結像させている。そしてキャリッジ４７を副走査モーター（不図示）により図中に示す矢印Ｃ方向（副走査方向）に移動させることにより原稿５の画像情報を読み取っている。
【００６９】
また各実施例ではイメージスキャナーに本発明の原稿照明装置を適用したが、これに限らず、例えばディジタル複写機、ファクシミリ等の機器にも適用することができる。
【図面の簡単な説明】
【００７０】
【図１Ａ】本発明の実施例１の画像読取装置の要部概略図
【図１Ｂ】本発明の実施例１の原稿照明装置の要部概略図
【図２】本発明の実施例１の原稿面上の光量分布
【図３Ａ】本発明の実施例２の白色ＬＥＤのパッケージの形状を示す図
【図３Ｂ】本発明の実施例２の白色ＬＥＤのパッケージの形状を示す図
【図４Ａ】従来の原稿照明装置の要部概略図
【図４Ｂ】従来の原稿照明装置の要部概略図
【図５Ａ】従来の原稿照明装置において照明光源から発光した光線を示す図
【図５Ｂ】従来の原稿照明装置において照明光源から発光した光線を示す図
【図５Ｃ】従来の原稿照明装置において照明光源から発光した光線を示す図
【図６Ａ】従来の原稿面上の副走査方向の光量分布
【図６Ｂ】従来の原稿面上の主走査方向の光量分布
【図７】従来の照明系ユニットと白色ＬＥＤを入れた色ムラのモデルを示す図
【図８】従来の原稿照明装置において照明光源から発光した光線を示す図
【図９】本発明の実施例１の画像読取装置の要部概略図
【図１０】従来の画像読取装置の要部概略図
【図１１】発光ダイオードの説明図
【図１２】発光スペクトルを示す説明図
【図１３】発光スペクトルを示す説明図
【符号の説明】
【００７１】
１  光源手段（白色ＬＥＤ）
２、３  反射部材
４  原稿台ガラス
５  原稿
６，７，８  走査ミラー
９  結像手段（結像レンズ）
１０  読取手段（３ラインセンサー）
２１  絞り
２２  第１のミラー台
２３  第２のミラー台
１６、１７  樹脂部材（パッケージ）
【図１Ａ】
2006042016.tif 000003
【図１Ｂ】
2006042016.tif 000004
【図２】
2006042016.tif 000005
【図３Ａ】
2006042016.tif 000006
【図３Ｂ】
2006042016.tif 000007
【図４Ａ】
2006042016.tif 000008
【図４Ｂ】
2006042016.tif 000009
【図５Ａ】
2006042016.tif 000010
【図５Ｂ】
2006042016.tif 000011
【図５Ｃ】
2006042016.tif 000012
【図６Ａ】
2006042016.tif 000013
【図６Ｂ】
2006042016.tif 000014
【図７】
2006042016.tif 000015
【図８】
2006042016.tif 000016
【図９】
2006042016.tif 000017
【図１０】
2006042016.tif 000018
【図１１】
2006042016.tif 000019
【図１２】
2006042016.tif 000020
【図１３】
2006042016.tif 000021